【手続補正書】
【提出日】平成15年11月27日(2003.11.27)
【手続補正１】
【補正対象書類名】明細書
【補正対象項目名】発明の名称
【補正方法】変更
【補正の内容】
【発明の名称】情報処理装置及び方法及びコンピュータ読取り可能な記憶媒体


【手続補正２】
【補正対象書類名】明細書
【補正対象項目名】特許請求の範囲
【補正方法】変更
【補正の内容】
【特許請求の範囲】
【請求項１】
ネットワーク上のデバイスと通信可能な情報処理装置であって、
デバイスの複数の機能を含む検索条件を記憶する記憶手段と、
前記記憶手段に記憶された検索条件に対応する表示要素を表示する表示手段と、
前記表示手段で表示された表示要素が指定された場合に、前記表示要素に対応する検索条件を満たすデバイスを検索する検索処理で見つかった少なくとも一つのデバイスを表示する検索結果表示手段と、
前記検索結果表示手段で表示されたデバイスの中から選択されたデバイスにデータを送信する送信手段と、
を有することを特徴とする情報処理装置。
【請求項２】
前記表示手段は、デバイスの種類を識別可能な表示要素を表示することを特徴とする請求項１記載の情報処理装置。
【請求項３】
前記検索結果表示手段は、前記検索条件に対応した表示要素の表示様態を検索結果に基づいて変更して表示することを特徴とする請求項１又は２記載の情報処理装置。
【請求項４】
前記検索結果表示手段は、前記検索条件を満たすデバイスが見つかった否かを示す表示要素、又は見つかったデバイスの種類を識別可能な表示要素を表示することを特徴とする請求項３記載の情報処理装置。
【請求項５】
ネットワーク上のデバイスと通信可能な情報処理装置であって、
デバイスの複数の機能を含む第一の検索条件とデバイスの複数の機能を含む第二の検索条件を記憶する記憶手段と、
前記記憶手段に記憶された第一の検索条件に対応する第一の表示要素と、第二の検索条件に対応する第二の表示要素を表示する表示手段と、
前記表示手段で表示された第一の表示要素が指定された場合には、前記第一の条件を満たすデバイスを検索する検索処理で見つかった少なくとも一つのデバイスを表示し、第二の表示要素が指定された場合には、前記第二の検索条件を満たすデバイスを検索する検索処理で見つかった少なくとも一つのデバイスを表示する検索結果表示手段と、
前記検索結果表示手段で表示されたデバイスの中から選択されたデバイスにデータを送信する送信手段と、
を有することを特徴とする情報処理装置。
【請求項６】
ロケーションを示す情報を入力する入力手段をさらに有し、
前記記憶手段は、入力されたロケーション情報と前記検索条件を関連付けて記憶し、
前記表示手段は、ユーザによって指定されたロケーション情報と前記記憶手段に記憶されたロケーション情報を比較し、該ロケーション情報に関連付けられた検索条件に対応したシンボルを表示することを特徴とする請求項１乃至５記載の情報処理装置。
【請求項７】
前記検索結果表示手段で表示されたデバイスのうち、少なくとも一つのデバイスを選択する選択手段と、
前記選択手段によって選択されたデバイスが有する機能と選択されなかったデバイスが有する機能とに基づいて、選択されたデバイスと選択されなかったデバイスとを判別するための機能を抽出する抽出手段と、
前記検索処理に用いられた検索条件に含まれるデバイスの機能と、前記抽出手段によって抽出された機能から、前記検索条件とは異なる検索条件を生成する生成手段と、
をさらに有することを特徴とする請求項１乃至６記載の情報処理装置。
【請求項８】
ネットワーク上のデバイスと通信可能な情報処理装置の制御方法であって、
デバイスの複数の機能を含む検索条件を記憶手段に記憶させる記憶ステップと、
前記記憶手段に記憶された検索条件に対応する表示要素を表示する表示ステップと、
前記表示ステップで表示された表示要素が指定された場合に、前記表示要素に対応する検索条件を満たすデバイスを検索する検索処理で見つかった少なくとも一つのデバイスを表示する検索結果表示ステップと、
前記検索結果表示ステップで表示されたデバイスの中から選択されたデバイスにデータを送信する送信ステップと、
を有することを特徴とする制御方法。
【請求項９】
前記表示ステップは、デバイスの種類を識別可能な表示要素を表示することを特徴とする請求項８記載の制御方法。
【請求項１０】
前記検索結果表示ステップは、前記検索条件に対応した表示要素の表示様態を検索結果に基づいて変更して表示することを特徴とする請求項８又は９記載の制御方法。
【請求項１１】
前記検索結果表示ステップは、前記検索条件を満たすデバイスが見つかった否かを示す表示要素、又は見つかったデバイスの種類を識別可能な表示要素を表示することを特徴とする請求項１０記載の制御方法。
【請求項１２】
ネットワーク上のデバイスと通信可能な情報処理装置の制御方法であって、
デバイスの複数の機能を含む第一の検索条件とデバイスの複数の機能を含む第二の検索条件を記憶手段に記憶させる記憶ステップと、
前記記憶手段に記憶された第一の検索条件に対応する第一の表示要素と、第二の検索条件に対応する第二の表示要素を表示する表示ステップと、
前記表示ステップで表示された第一の表示要素が指定された場合には、前記第一の条件を満たすデバイスを検索する検索処理で見つかった少なくとも一つのデバイスを表示し、第二の表示要素が指定された場合には、前記第二の検索条件を満たすデバイスを検索する検索処理で見つかった少なくとも一つのデバイスを表示する検索結果表示ステップと、
前記検索結果表示ステップで表示されたデバイスの中から選択されたデバイスにデータを送信する送信ステップと、
を有することを特徴とする制御方法。
【請求項１３】
ロケーションを示す情報を入力する入力ステップをさらに有し、
前記記憶ステップは、入力されたロケーション情報と前記検索条件を関連付けて前記記憶手段に記憶させ、
前記表示ステップは、ユーザによって指定されたロケーション情報と前記記憶手段に記憶されたロケーション情報を比較し、該ロケーション情報に関連付けられた検索条件に対応したシンボルを表示することを特徴とする請求項８乃至１２記載の制御方法。
【請求項１４】
前記検索結果表示ステップで表示されたデバイスのうち、少なくとも一つのデバイスを選択する選択ステップと、
前記選択ステップによって選択されたデバイスが有する機能と選択されなかったデバイスが有する機能とに基づいて、選択されたデバイスと選択されなかったデバイスとを判別するための機能を抽出する抽出ステップと、
前記検索処理に用いられた検索条件に含まれるデバイスの機能と、前記抽出手段によって抽出された機能から、前記検索条件とは異なる検索条件を生成する生成ステップと、
をさらに有することを特徴とする請求項８乃至１３記載の制御方法。
【請求項１５】
ネットワーク上のデバイスと通信可能な情報処理装置に以下のステップを実行させるためのプログラムを格納したコンピュータ読取り可能な記憶媒体であって、
デバイスの複数の機能を含む検索条件を記憶手段に記憶させる記憶ステップと、
前記記憶手段に記憶された検索条件に対応する表示要素を表示する表示ステップと、
前記表示ステップで表示された表示要素が指定された場合に、前記表示要素に対応する検索条件を満たすデバイスを検索する検索処理で見つかった少なくとも一つのデバイスを表示する検索結果表示ステップと、
前記検索結果表示ステップで表示されたデバイスの中から選択されたデバイスにデータを送信する送信ステップと、
を有することを特徴とするコンピュータ読取り可能な記憶媒体。
【請求項１６】
ネットワーク上のデバイスと通信可能な情報処理装置に以下のステップを実行させるためのプログラムを格納したコンピュータ読取り可能な記憶媒体であって、
デバイスの複数の機能を含む第一の検索条件とデバイスの複数の機能を含む第二の検索条件を記憶手段に記憶させる記憶ステップと、
前記記憶手段に記憶された第一の検索条件に対応する第一の表示要素と、第二の検索条件に対応する第二の表示要素を表示する表示ステップと、
前記表示ステップで表示された第一の表示要素が指定された場合には、前記第一の条件を満たすデバイスを検索する検索処理で見つかった少なくとも一つのデバイスを表示し、第二の表示要素が指定された場合には、前記第二の検索条件を満たすデバイスを検索する検索処理で見つかった少なくとも一つのデバイスを表示する検索結果表示ステップと、
前記検索結果表示ステップで表示されたデバイスの中から選択されたデバイスにデータを送信する送信ステップと、
を有することを特徴とするコンピュータ読取り可能な記憶媒体。
【手続補正３】
【補正対象書類名】明細書
【補正対象項目名】０００１
【補正方法】変更
【補正の内容】
【０００１】
【発明の属する技術分野】
本発明は、ネットワーク上のデバイスを検索する為の情報処理装置、及びその制御方法、及びコンピュータ読取り可能な記憶媒体に関するものである。


【手続補正４】
【補正対象書類名】明細書
【補正対象項目名】０００６
【補正方法】変更
【補正の内容】
【０００６】
本発明は上記問題点を解決する為になされたもので、ユーザがネットワーク上のデバイスを検索する際の操作の手間を軽減することが可能な情報処理装置、及びその制御方法、並びに記憶媒体を提供することを目的とする。


【手続補正５】
【補正対象書類名】明細書
【補正対象項目名】０００７
【補正方法】変更
【補正の内容】
【０００７】
また、本発明は検索結果を分かりやすい形式で表示することが可能な情報処理装置、及びその制御方法、並びに記憶媒体を提供することを目的とする。


【手続補正６】
【補正対象書類名】明細書
【補正対象項目名】０００８
【補正方法】変更
【補正の内容】
【０００８】
【課題を解決するための手段】
上記課題を解決するために、本発明における情報処理装置は、ネットワーク上のデバイスと通信可能な情報処理装置であって、デバイスの複数の機能を含む検索条件を記憶する記憶手段と、
前記記憶手段に記憶された検索条件に対応する表示要素を表示する表示手段と、前記表示手段で表示された表示要素が指定された場合に、前記表示要素に対応する検索条件を満たすデバイスを検索する検索処理で見つかった少なくとも一つのデバイスを表示する検索結果表示手段と、前記検索結果表示手段で表示されたデバイスの中から選択されたデバイスにデータを送信する送信手段とを有することを特徴とする。


【手続補正７】
【補正対象書類名】明細書
【補正対象項目名】０００９
【補正方法】変更
【補正の内容】
【０００９】
また、上記課題を解決するために、本発明における情報処理装置は、ネットワーク上のデバイスと通信可能な情報処理装置であって、デバイスの複数の機能を含む第一の検索条件とデバイスの複数の機能を含む第二の検索条件を記憶する記憶手段と、前記記憶手段に記憶された第一の検索条件に対応する第一の表示要素と、第二の検索条件に対応する第二の表示要素を表示する表示手段と、前記表示手段で表示された第一の表示要素が指定された場合には、前記第一の条件を満たすデバイスを検索する検索処理で見つかった少なくとも一つのデバイスを表示し、第二の表示要素が指定された場合には、前記第二の検索条件を満たすデバイスを検索する検索処理で見つかった少なくとも一つのデバイスを表示する検索結果表示手段と、
前記検索結果表示手段で表示されたデバイスの中から選択されたデバイスにデータを送信する送信手段とを有することを特徴とする。


【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】０１１０
【補正方法】変更
【補正の内容】
【０１１０】
【発明の効果】
以上説明したように、本発明によれば、ユーザが入力したデバイスの検索条件を記憶し、以降再び検索条件を入力しなくても、記憶した検索条件データを使用するようにしたことで、検索のたびにいちいち入力しなければならないという手間が軽減される効果がある。


【手続補正２５】
【補正対象書類名】明細書
【補正対象項目名】０１１１
【補正方法】変更
【補正の内容】
【０１１１】
また、検索条件に対応した表示要素を検索結果に基づいた表示様態に変更することにより、ユーザに結果を分かりやすく表示することができる。


【手続補正２６】
【補正対象書類名】明細書
【補正対象項目名】０１１２
【補正方法】変更
【補正の内容】
【０１１２】
また、複数のデバイスが検索結果として表示されたような場合でも、容易に絞り込みの為の検索フィルタを生成することが可能となり、ユーザがデバイスに関する詳細な情報を調べながら条件をいちいち追加して検索フィルタを作成しなければならないといった操作性の負担が著しく軽減される。


【手続補正２７】
【補正対象書類名】明細書
【補正対象項目名】０１１３
【補正方法】変更
【補正の内容】
【０１１３】
また、ユーザが検索を実行するロケーションに応じて最適な検索条件を表示するので、携帯情報端末と共に場所を移動しながら作業をするようなユーザのデバイス探索の操作性を著しく向上することが可能となる。


【手続補正２８】
【補正対象書類名】明細書
【補正対象項目名】０１１４
【補正方法】削除
【補正の内容】
【手続補正２９】
【補正対象書類名】明細書
【補正対象項目名】０１１５
【補正方法】削除
【補正の内容】
【手続補正３０】
【補正対象書類名】明細書
【補正対象項目名】０１１６
【補正方法】削除
【補正の内容】